(57)【要約】【課題】操作レバーの前後寸法を最小限として見栄えをよくするとともに、係合軸や操作レバー、係合凹部を１組のみとして部品点数を削減し、かつ操作性も向上させる。【解決手段】机本体の上端部の左右方向を向く連結杆６の内部に、操作レバー２７と、これにより上下動させられる係合軸２８と、該係合軸２８を上方に付勢する圧縮コイルばね２９を設けるとともに、天板７の下面に、該天板７が前後限位置まで移動したとき、前記係合軸２８が係合する前後２個の係合孔２１を有する停止プレート２２を設ける。【選択図】  図６
2004283251.tif 000002
【特許請求の範囲】
【請求項１】
左右の脚体により前後方向に移動可能に支持された天板の後端部下方に配線スペースを設け、該配線スペースの上端開口部を、前記天板を前後方向に移動させて開閉するようにした可動天板を備える机において、
前記左右の脚体の上端部同士を、左右方向を向く連結杆により連結し、該連結杆に、上下に回動操作可能な操作レバーと、該操作レバーの操作により上下動させられる係合軸と、該係合軸を、前記天板の下面に向かって付勢する付勢手段とを設けるとともに、前記天板の下面に、該天板が前記配線スペースの上方を閉塞する後限位置と、配線スペースの上方を開口する前限位置とに移動したとき、前記係合軸が係合する前後２個の係合凹部を設けたことを特徴とする可動天板を備える机。
【請求項２】
連結杆を側面視上向コ字状断面として、その内部に、操作レバーにおける操作部を除いた後半部、係合軸及び付勢手段を収容した請求項１に記載の可動天板を備える机。
【請求項３】
係合軸の下部外周面を、操作レバーの後端部に形成した凹部内において前後に揺動可能に支持するとともに、前記係合軸の上端部を、ガイド部材のガイド孔に、上下に摺動可能に嵌合した請求項１または２に記載の可動天板を備える机。
【請求項４】
係合軸の内部に、下端が開口する中空孔を形成し、この中空孔に付勢手段としての圧縮コイルばねを挿入し、その下端を連結杆内の底面に圧接することにより、係合軸を上向きに付勢するようにした請求項１ないし３のいずれかに記載の可動天板を備える机。
【請求項５】
天板の下面に、該天板を前後限位置まで移動したとき、連結杆の前後の面に当接する前後１対のストッパ部材を設けた請求項１ないし４のいずれかに記載の可動天板を備える机。
【請求項６】
前後１対のストッパ部材を、天板の左右両端部に設けるとともに、操作レバーと係合軸と付勢手段、及び天板の２個の係合凹部を、前記左右のストッパ部材間のほぼ中央に設けた請求項５に記載の可動天板を備える机。
【発明の詳細な説明】
【０００１】
【発明の属する技術分野】
本発明は、天板を前方に移動させて、机本体の後端における天板下に形成された配線スペースを開口し、ＯＡ機器等のコード類を簡単に配線し得るようにした可動天板を備える机に関する。
【０００２】
【従来の技術】
この種の机の中には、天板を使用位置に保持するとともに、前方に移動させたとき、不用意に後方に移動して配線作業に支障を来すのを防止するために、机本体と天板との間に、互いに係脱可能な係合部と被係合部とを設けたものがある（例えば、特許文献１参照）。
【０００３】
【特許文献１】
特開２００２−２８２０５５公報（図６〜図８等）
【０００４】
【発明が解決しようとしている課題】
上記特許文献１に記載されている従来の可動天板を備える机では、天板の下面の左右両側部に、机本体の左右の支持アームに設けた被係合部に係脱可能な前後１対の係合部を有する左右１対の操作レバー（レバー部材）の後端を、上下に回動し得るように設けてあるため、必然的に操作レバーの上下寸法や前後寸法が大となり、外観的な見栄えが悪い。
【０００５】
また、操作レバーが左右２個設けられ、かつその係合部と係脱する被係合部も、左右の支持アームに設けてあるため、部品点数が多く、組立工数やコストが増大する。しかも、天板を前後方向に移動させる際には、左右の操作レバーを同時に操作する必要があるため、操作性が悪い。
【０００６】
本発明は、上記問題点を解決するためになされたもので、操作レバーの大きさを最小限として見栄えをよくするとともに、係合部、操作レバー、被係合部等を１組のみとすることにより、部品点数を削減し、かつ操作性も向上させることができるようにした可動天板を備える机を提供することを目的としている。
【０００７】
【課題を解決するための手段】
上記の目的を達成するために、本発明の可動天板を備える机は、左右の脚体により前後方向に移動可能に支持された天板の後端部下方に配線スペースを設け、該配線スペースの上端開口部を、前記天板を前後方向に移動させて開閉するようにした可動天板を備える机において、
前記左右の脚体の上端部同士を、左右方向を向く連結杆により連結し、該連結杆に、上下に回動操作可能な操作レバーと、該操作レバーの操作により上下動させられる係合軸と、該係合軸を、前記天板の下面に向かって付勢する付勢手段とを設けるとともに、前記天板の下面に、該天板が前記配線スペースの上方を閉塞する後限位置と、配線スペースの上方を開口する前限位置とに移動したとき、前記係合軸が係合する前後２個の係合凹部を設けたことを特徴としている。
上記構成の本発明によれば、連結杆に、操作レバーと、これにより上下方向に移動させられる係合軸と、該係合軸を天板に向かって付勢する付勢手段とを設け、係合軸が天板の下面に設けた前後２個の係合凹部と係合するようにしているため、操作レバーの前後寸法は最小限でよく、外観的な見栄えがよくなる。
【０００８】
上記机において、連結杆を側面視上向コ字状断面として、その内部に、操作レバーにおける操作部を除いた後半部、係合軸及び付勢手段を収容することが好ましい。
このようにすると、操作レバーの後端部、係合軸及び付勢手段が外部に露出しないので、体裁が向上する。
【０００９】
上記机において、係合軸の下部外周面を、操作レバーの後端部に形成した凹部内において前後に揺動可能に支持するとともに、前記係合軸の上端部を、ガイド部材のガイド孔に、上下に摺動可能に嵌合することが好ましい。
このようにすると、操作レバーの回動操作により、係合軸は上下動することができるとともに、ガイド部材のガイド孔に案内されて上下動するので、係合凹部との係脱が確実に行われる。
【００１０】
上記机において、係合軸の内部に、下端が開口する中空孔を形成し、この中空孔に付勢手段としての圧縮コイルばねを挿入し、その下端を連結杆内の底面に圧接することにより、係合軸を上向きに付勢するようにすることが好ましい。
このようにすると、係合軸と圧縮コイルばねとの上下寸法を小さくし得るとともに、係合軸の中空孔内の上端面を圧縮コイルばねが押圧するので、係合軸のぐら付きが防止される。
【００１１】
上記机において、天板の下面に、該天板を前後限位置まで移動したとき、連結杆の前後の面に当接する前後１対のストッパ部材を設けることが好ましい。
このようにすると、天板を前後限位置で確実に停止させ得るので、係合軸が係合凹部に円滑に係脱するようになる。
【００１２】
上記机において、前後１対のストッパ部材を、天板の左右両端部に設けるとともに、操作レバーと係合軸と付勢手段、及び天板の２個の係合凹部を、前記左右のストッパ部材間のほぼ中央に設けるのが好ましい。
このようにすると、天板が前後限位置で停止している状態で、天板に係合軸を中心とする水平方向の回転モーメントが作用しても、その力は左右のストッパ部材により受け止められるので、天板が前後方向に動いたり、係合軸に無理な力が加わったりすることがない。
また、操作レバーや係合軸及び係合凹部を、机の両側に２組ずつ設ける必要がないので、部品点数が削減されるとともに、操作レバーの操作性が向上する。
【００１３】
【発明の実施の形態】
以下、本発明の実施形態を図面に基づいて説明する。
【００１４】
図１は、本発明の可動天板を備える机の斜視図、図２は、同じく平面図を示すもので、机本体１は、上下方向を向く左右１対の板状の側脚２ａ，２ａの下端に、前方を向くベース脚２ｂ，２ｂを有する左右１対の脚体２，２と、両脚体２の後端間に着脱可能に装着される幕板３と、両側脚２ａの上端に、ベース脚２ｂと平行をなすように取付けられた左右１対の支持アーム４，４とを備え、両支持アーム４の対向面のほぼ中間部に内向きに突設されたブラケット片５には、図４に示すように、側面視上向コ字状断面の連結杆６の左右両端部がねじ止めされている。
【００１５】
上記左右の支持アーム４の上部には、天板７が、次のようにして前後方向に移動可能に取付けられている。
【００１６】
図４に示すように（左右対称で同一構造につき、一方のみ図示する）、正面視上向コ字状断面をなす支持アーム４内の底面中央に立設された前後方向を向くリブ８の上面には、該リブ８により仕切られた内方の凹溝９内に収容されるようにして、逆Ｌ字状のブラケット１０の水平片１０ａがねじ止めされ、その垂下片１０ｂの内側面には、対向面に上下１対の案内ロッド１１，１１が固着された内向きＣ字状断面のガイドレール１２が、支持アーム４内の前後両端付近までに亘って固定されている。
【００１７】
上記上下の案内ロッド１１には、所定の前後寸法を有するスライド部材１３が、前後に摺動自在に嵌合され、このスライド部材１３に固着した逆Ｌ字形のブラケット１４の内向水平片１４ａの上面に、天板７の両側部下面のほぼ中間部が固定されている。従って、天板７は、左右の支持アーム４のガイドレール１２に案内されて前後方向に移動することができる。
【００１８】
幕板３の前面の上端部には、図５に示すように、上端が天板７の下面より下方に位置する、側面視上向コ字状の配線ダクト１５取付けられ、その上方における幕板３のと天板７の後端間に形成された開口部は、幕板３の上端に取付けた挟持部材１６に後端部が挟着されたブラシ状の閉塞部材１７により塞がれている。
【００１９】
図２及び図３に示すように、天板７の下面の左右両側部には、上記連結杆６の前後の面に当接することにより、天板７の前後の移動領域を規制する前後２個ずつのストッパ部材１８，１８が、ボルト１９により固定されている。ストッパ部材１８の材質としては、連結杆６との当接時に適度の緩衝作用を有する合成樹脂材又はゴム等が好ましい。
【００２０】
前側の左右のストッパ部材１８が連結杆６の前面に当接した際、天板７は、その後端が閉塞部材１７の前端と近接する後限位置で停止させられるようになっている（図５の実線位置参照）。
【００２１】
一方、後側の左右のストッパ部材１８が連結杆６の後面に当接した際には、図５の２点鎖線で示すように、配線ダクト１５の前端より所要寸法離間する前限位置で停止され、配線ダクト１５の前上方が大きく開口されることにより、配線ダクト１５内へのコード類Ｃの配線作業が容易となる。
【００２２】
次に、天板７を上記前後限位置で不動状態とするロック機構について説明する。
【００２３】
図２及び図６に示すように、天板７の下面の中央部、すなわち上記左右のストッパ部材１８間の中央に形成された前後方向を向く矩形の凹溝２０には、前後両端部に係合孔２１，２１が穿設された停止プレート２２が、皿ねじ２３により、天板７の下面と同一面をなすように固定されている。
【００２４】
また、停止プレート２２の前端部と対向する連結杆６の内部には、上記係合孔２１に選択的に係合することにより、天板７を前後限位置に停止保持するロック機構Ｒが収容されている。
【００２５】
ロック機構Ｒは、連結杆６内の底面にねじ２４により固着され、中央部が上下に開口された支持部材２５と、その中央部の凹部２５ａ内に上方より挿入され、前後方向の中間部両側面に突設した支軸２６を、凹部２５ａの対向面の軸孔（図示略）に回動自在に嵌合してなる操作レバー２７と、この操作レバー２７により上下動させられる係合軸２８と、これを常時上向きに付勢する圧縮コイルばね２９と、上記支持部材２５の上面に皿ねじ３０により固定され、係合軸２８を上下方向に摺動自在に案内するガイド孔３１ａを有するガイド部材３１とからなっている。
【００２６】
上記操作レバー２７の後端部中央には、図７に示すように、平面視コ字状の切欠溝３２が形成されており、この切欠溝３２内に、係合軸２８の下端部の小径軸部２８ａが、上下に移動可能にかつ前後に揺動可能に嵌合され、下端の拡径鍔部２８ｂが切欠溝３２部の下面と当接することにより、上方に抜け止めされている。
【００２７】
係合軸２８には、下端が開口されるとともに、上端が閉塞された中空孔３３が形成され、この中空孔３３内に上記圧縮コイルばね２９を収容し、その下端を連結杆６内の底面に、上端を中空孔３３内の上端にそれぞれ圧接させることにより、係合軸２８と、その拡径鍔部２８ｂに当接する操作レバー２７の後端部とが、常時上向きに付勢されている。
【００２８】
この状態において操作レバー２７の後端部上面が、ガイド部材３１の下端と当接することにより、操作レバー２７はほぼ水平となり、その前端部に折曲形成された操作部２７ａは前下方を向くようになっている。なお、操作レバー２７の前半部は、連結杆６の前面板に形成された切欠凹部３４を挿通して前方に突出している。
【００２９】
上記停止プレート２２の前後の係合孔２１と、係合軸２８及び前述した前後のストッパ部材１８との位置関係は、前側のストッパ部材１８が連結杆６と当接して天板７が後限位置で停止したとき、係合軸２８が前側の係合孔２１と係合し（図６の状態）、後側のストッパ部材１８が連結杆６と当接して天板７が前限位置で停止したとき、係合軸２８が後側の係合孔２１と係合するようにしてある。
【００３０】
すなわち、天板７が前後のストッパ部材１８と当接する前後限位置まで移動された際、係合軸２８が前後の係合孔２１と係合することにより、天板７はその位置でロックされるようになっている。
【００３１】
ロック状態にある天板７を移動させる際は、図８に示すように、操作レバー２７の操作部２７ａに机の前方より手を掛け、これを上向きに回動操作すればよい。すると、操作レバー２７の後半部が下向きに回動し、その切欠溝３２に嵌挿されている係合軸２８が圧縮コイルばね２９に抗して下方に移動し、停止プレート２２の係合孔２１より離脱することにより、天板７は前方又は後方に移動可能となる。
【００３２】
以上説明したように、上記実施形態の机においては、操作レバー２７に、その回動操作により上下動する係合軸２８を設け、これを、天板７の下面の凹溝２０に取付けた停止プレート２２の係合孔２１と係合させるようにしているため、操作レバー２７の前後寸法は最小限でよく、また停止プレート２２も下方に突出しないので、外観的な見栄えがよくなる。
【００３３】
しかも、係合軸２８や圧縮コイルばね２９等のロック機構Ｒ全体が、上向きコ字状断面の連結杆６内にほぼ収容され、操作レバー２７の操作部２７ａを含む前半部のみが連結杆６の前方に突出しているだけであるため突出感がなく、体裁が向上する。
【００３４】
また、係合軸２８は、ガイド部材３１のガイド孔３１ａ内に摺動自在に嵌合されているため、上下方向に安定的に移動し、係合孔２１と確実に係脱することができる。
【００３５】
さらに、ロック機構Ｒと停止プレート２２を、机本体１の左右方向のほぼ中央部に設け、天板７の下面の左右両側部に、連結杆６と当接する前後１対ずつのストッパ部材１８を設けているため、天板７を前後限位置で停止保持した状態でそれに外力が加わり、係合軸２８を中心とする水平方向の回転モーメントが作用しても、天板７が前後方向に動いたり、係合軸２８に無理な力が作用したりすることがない。従って、ロック機構Ｒ及び停止プレート２２は、１組のみでよく、部品点数が削減されるとともに、操作性も向上する。
【００３６】
なお、上記実施形態では、連結杆６の内部に支持部材２５を固定し、これにより操作レバー２７の左右の支軸２６を枢支しているが、連結杆６内に１対の支持板を垂直に固着し、両支持板間において操作レバー２７の支軸２６を枢支するようにしてもよい。この際には、ガイド部材３１は、連結杆６に直接固定するなどすればよい。
【００３７】
係合軸２８の外周面に左右１対の支持ピンを突設し、これを、操作レバー２７の切欠溝３２内の対向面に形成した軸孔に回動可能に枢支してもよい。
【００３８】
本発明は、ブラシ状の閉塞部材１７がなく、天板７の後端が幕板３の前端と近接する後限位置まで移動しうるようにした机にも適用することができる。
【００３９】
【発明の効果】
本発明によれば、次のような効果を奏することができる。
【００４０】
（ａ）請求項１に記載の発明によれば、操作レバーの回動操作により上下動させられる係合軸を、天板の下面の前後２個の係合凹部に係合させて、天板が前後限位置で停止されるようになっているため、従来のものに比して、操作レバーの前後寸法は最小限となり、外観的な見栄えがよくなる。
また、係合軸は付勢手段により常時上向に付勢されているため、一方の係合凹部より一旦離脱させたのち、操作レバーから手を離しても、天板を前後方向に移動させるだけで、他方の係合凹部に自動的に係合させることができる。
【００４１】
（ｂ）請求項２に記載の発明によれば、操作レバーの後端部、係合軸及び付勢手段が外部に露出しないので、体裁が向上する。
【００４２】
（ｃ）請求項３に記載の発明によれば、操作レバーの回動操作により、係合軸は上下動することができるとともに、ガイド部材のガイド孔に案内されて上下動するので、係合凹部との係脱が確実に行われる。
【００４３】
（ｄ）請求項４に記載の発明によれば、係合軸と圧縮コイルばねとの上下寸法を小さくし得るとともに、係合軸の中空孔内の上端面を圧縮コイルバネが押圧するので、係合軸がぐら付くのが防止される。
【００４４】
（ｅ）請求項５に記載の発明によれば、天板が前後限位置で確実に停止するので、係合軸が係合凹部に円滑に係脱するようになる。
【００４５】
（ｆ）請求項６に記載の発明によれば、天板が前後限位置で停止している状態で、天板に係合軸を中心とする水平方向の回転モーメントが作用しても、その力は左右のストッパ部材により受け止められるので、天板、特にその両側部が前後方向に動いたり、係合軸に無理な力が加わったりすることがない。
しかも、操作レバーや係合軸及び係合凹部は、１組で十分であり、部品点数が削減されて、コスト低減が可能となるとともに、天板を移動させる際の操作レバーの操作性が向上する。
【図面の簡単な説明】
【図１】本発明を適用した机の一部切欠き斜視図である。
【図２】同じく平面図である。
【図３】図２のＩＩＩ−ＩＩＩ線に沿う拡大縦断側面図である。
【図４】同じく、図２のＩＶ−ＩＶ線に沿う拡大縦断側面図である。
【図５】机の後端上部の斜視図である。
【図６】図２のＶＩ−ＶＩ線に沿う拡大縦断側面図である。
【図７】操作レバーと係合軸の分解斜視図である。
【図８】操作レバーを操作して係合軸を係合孔より離脱させた状態の縦断側面図である。
【符号の説明】
１                    机本体
２                    脚体
２ａ                  側脚
２ｂ                  ベース脚
３                    幕板
４                    支持アーム
５                    ブラケット片
６                    連結杆
７                    天板
８                    リブ
９                    凹溝
１０                  ブラケット
１０ａ                水平片
１０ｂ                垂下片
１１                  案内ロッド
１２                  ガイドレール
１３                  スライド部材
１４                  ブラケット
１４ａ                内向水平片
１５                  配線ダクト（配線スペース）
１６                  挟持部材
１７                  閉塞部材
１８                  ストッパ部材
１９                  ボルト
２０                  凹溝
２１                  係合孔（係合凹部）
２２                  停止プレート
２３                  皿ねじ
２４                  ねじ
２４ａ                凹部
２５                  支持部材
２５ａ                凹部
２６                  支軸
２７                  操作レバー
２７ａ                操作部
２８                  係合軸
２８ａ                小径軸部
２８ｂ                拡径鍔部
２９                  圧縮コイルばね
３０                  皿ねじ
３１                  ガイド部材
３１ａ                ガイド孔
３２                  切欠溝
３３                  中空孔
Ｃ                    コード類
Ｒ                    ロック機構
【図１】
2004283251.tif 000003
【図２】
2004283251.tif 000004
【図３】
2004283251.tif 000005
【図４】
2004283251.tif 000006
【図５】
2004283251.tif 000007
【図６】
2004283251.tif 000008
【図７】
2004283251.tif 000009
【図８】
2004283251.tif 000010